(57)【要約】      （修正有）【課題】草履を履いたときに脱げないように踵を係止でき、また、雨天時には足先を覆うカバーを取り付けることができる草履を提供する。【解決手段】草履本体１１と鼻緒１２とゴムバンドと固定具１４とからなる。ゴムバンドの両側の固定具１４より前側半ループ部分１３ａは、草履本体１１の側面部前側部分より外されて、鼻緒１２の前坪付近の上を通り足先又は雨天時に取り付けられ足先及び鼻緒１２の前坪付近をカバーする足先カバー１５を締め付けるように位置され、ゴムバンドの両側の固定具１４より後側半ループ部分１３ｂは、草履本体１１の側面部後側部分より外されて、草履本体１１に置いて鼻緒で固定される足Ｆの踵を後ろから係止するように位置される。【選択図】図３
0003137028.tif 000002
【実用新案登録請求の範囲】
【請求項１】
草履本体と、鼻緒と、前記草履本体の側面部を一周して締め付けるゴムバンドと、前記草履本体の側面部の前側寄りの２箇所において前記ゴムバンドを前記草履本体の側面部に固定する固定具とを有し、
前記ゴムバンドの両側の固定具より前側の前側半ループ部分は、前記草履本体の側面部前側部分より外されて、前記草履の鼻緒の前坪付近の上を通り足先又は雨天時に取り付けられ該足先及び鼻緒の前坪付近をカバーする足先カバーを締め付けるように位置され、
前記ゴムバンドの前記２つの固定具より後側の後側半ループ部分は、前記草履本体の側面部後側部分より外されて、前記草履本体に置いて鼻緒で固定される足の踵を後ろから係止するように位置されることを特徴とする草履。
【請求項２】
前記ゴムバンドが、草履のデザインに合わせたデザインを有している、
ことを特徴とする請求項１に記載の草履。
【請求項３】
前記固定具が、針部が長い鋲であって、前記ゴムバンドの幅中央を刺してさらに前記草履本体の側面部に刺し込んで前記ゴムバンドを前記草履本体の側面部に固定している、
ことを特徴とする請求項１に記載の草履。
【考案の詳細な説明】
【技術分野】
【０００１】
本考案は、踵と足先を係止できる草履に関する。
【背景技術】
【０００２】
草履は鼻緒で足を固定するが、活動的動作時に脱げ易かった。従来はこれを解決するため、例えば、鼻緒の上に別部材の鼻緒飾りを取り付け、鼻緒飾りの両側後端の一対の面ファスナを踵の後ろで係止することが開示されている（特許文献１参照）。
【０００３】
また、草履を履いて出かけ雨天になったときは草履の前側半ループ部分にカバーを付けて足先を汚れないようにしたい。従来はこれを解決するため、例えば、草履の前部を覆うカバー部材を被せ、カバー部材に設けた磁石により草履側面の鉄部材に吸引させることが開示されている（特許文献２参照）。
【特許文献２】特開２００６−１３０２６８号公報
【特許文献３】特開２００７−０６１３２８号公報
【考案の開示】
【考案が解決しようとする課題】
【０００４】
しかしながら、草履は草履本体のデザインと鼻緒のデザインとをマッチさせて作られており、特許文献４のものでは、鼻緒飾りにより鼻緒が隠れてしまい、鼻緒飾りのデザインによって草履本来の外観が著しく変わってしまう不具合がある。
また、特許文献２の草履では、草履本体の前側半ループ部分にカバー部材を磁石により着座辻材に被せる構成であるので、草履本体の側面前側半ループ部分に鉄板を設ける必要があるから、カバー部材を被せないときの鉄板露出部分によるデザインの低下があり、また鉄板露出部分の仕舞い込みが他の部分とは異なるので製造コストが高く付いてしまう不具合がある。
【０００５】
本考案は、このような問題点を解決するためになされたものであり、草履を履いたときに脱げないように踵を係止でき、また、雨天時には足先を覆うカバーを取り付けることができる草履を提供することを目的とする。
【課題を解決するための手段】
【０００６】
上記課題を解決するため、請求項１に記載の考案は、草履本体と、鼻緒と、前記草履本体の側面部を一周して締め付けるゴムバンドと、前記草履本体の側面部の前側寄りの２箇所において前記ゴムバンドを前記草履本体の側面部に固定する固定具とを有し、前記ゴムバンドの前記２つの固定具より前側半ループ部分は、前記草履本体の側面部前側部分より外されて、前記草履の鼻緒の前坪付近の上を通り足先又は雨天時に取り付けられ該足先及び鼻緒の前坪付近をカバーする足先カバーを締め付けるように位置され、前記ゴムバンドの前記２つの固定具より後側半ループ部分は、前記草履本体の側面部後側部分より外されて、前記草履本体に置いて鼻緒で固定される足の踵を後ろから係止するように位置される草履としたことを特徴とする。
この構成により、草履を履いたときにゴムバンドの後側半ループ部分が草履本体の側面部後側部分より外されて足が脱げないように踵を係止できる。又、ゴムバンドの前側半ループ部分が草履本体の側面部前側部分より外されて、鼻緒の前坪付近の上を通り足先を締め付け足先を脱げないように係止でき、又はゴムバンドの前側半ループ部分を草履の側面前側部分を覆う状態のままにするときは、草履の先端や側面に傷が付かないように保護できる。さらに、雨天時には足先を覆うために取り付ける足先カバーをゴムバンドの前側半ループ部分で固定できる。
【０００７】
請求項２に記載の考案は、請求項１に記載の構成に加え、前記ゴムバンドが、草履のデザインに合わせたデザインを有していることを特徴とする。この構成により、草履のデザインに合うデザインを備えたゴムバンドを選ぶことにより、該ゴムバンドのデザインが草履のデザインから浮き上がってしまうことなく、デザインの統一性が保たれた草履を提供できる。
【０００８】
請求項３に記載の考案は、請求項１又は２に記載の構成に加え、前記固定具が、針部が長い鋲であって、前記ゴムバンドの幅中央を刺してさらに前記草履本体の側面部に刺し込んで前記ゴムバンドを前記草履本体の側面部に固定していることを特徴とする。この構成により、草履本体には新たな細工を施す必要がなく、ゴムバンドの長さを、草履本体を一巻きして適度に締め付け得る状態に、かつ、個々の草履本体の大きさに合わせて適宜決定し、該ゴムバンドの２箇所を草履本体の両側の側面部に固定することを容易になしうる。
【考案の効果】
【０００９】
本考案によれば、草履を履いたときにゴムバンドの後側半ループ部分により足が脱げないように踵を係止できると共にゴムバンドの前側半ループ部分により足先部分で固定でき、また該ゴムバンドの前側半ループ部分をそのままとしても該ゴムバンドの前側半ループ部分で草履の先端や側面に傷が付かないように保護でき、さらに、雨天時には足先を覆うために取り付ける足先カバーをゴムバンドの前側半ループ部分で固定できる草履を提供することができる。
【考案を実施するための最良の形態】
【００１０】
以下に本考案の実施形態に係る草履を図面を参照して説明する。
【００１１】
〔第１の実施の形態〕
図１（ａ）は、従来の草履の構成を示し、図１（ｂ）は、本実施形態の草履の構成を示す。図２は、草履の晴天時使用状態を示す斜視図である。
【００１２】
まず、構成を説明する。草履１０は、草履本体１１と、鼻緒１２とを有する構成（従来の草履の構成：図１（ａ）参照）に加え、ゴムバンド１３と、固定具１４とを有する（図１（ｂ）参照）。ゴムバンド１３は、草履本体１１の側面部１１ａを一周してずれ落ちない適度の締め付け力を保有するように取り付けられる。固定具１４は、草履本体１１の側面部１１ａの前側寄りの２箇所においてゴムバンド１３を草履本体１１の側面部に固定する役目を果たす。
【００１３】
ゴムバンド１３は、両側の固定具１４で固定されることにより、前側半ループ部分１３ａと後側半ループ部分１３ｂとで異なる機能を有する。
【００１４】
前側半ループ部分１３ａは、草履本体１１の側面部前側部分より外されて、鼻緒１２の前坪１２ａ付近の上を通り足先を締め付けるように位置される。この構成により、前側半ループ部分１３ａは、草履本体１１に対して足先を固定できるから、足先の草履本体１１からずれ落ちを防止できる（図２参照）。
【００１５】
図３は、草履の雨天時使用状態を示す斜視図であり、図４は、図１の草履の側面図である。前側半ループ部分１３ａは、草履本体１１の側面部前側部分より外されて、雨天時に取り付けられ足先及び鼻緒の前坪１２ａ付近をカバーする足先カバー１５を締め付けるように位置される。足先カバー１５は、雨天時に用意され、足先に被せるように位置させかつ固定具１４を避けて被せ、前側半ループ部分１３ａにより抑え込まれる状態に取り付けられる（図３参照）。この構成により、前側半ループ部分１３ａは、雨天時には足先を覆うために着脱自在に備える足先カバー１５を固定でき、足先カバー１５を介して草履本体１１に対して足先を固定できるから、足先の草履本体１１からずれ落ちを防止できる（図３、図４参照）。なお、前側半ループ部分１３ａは、足先カバー１５を取り付けない場合にあっては、草履本体１１の側面部前側部分より外さなくても良い。
【００１６】
後側半ループ部分１３ｂは、草履本体１１の側面部後側部分より外されて、草履本体１１に置いて鼻緒１２で固定される足Ｆの踵を後ろから係止するように位置される。この構成により、後側半ループ部分１３ｂは、草履を履いたときに足Ｆが草履１０から脱げないように踵を係止できる。
【００１７】
ゴムバンド１３は、草履本体１１又は鼻緒１２のデザインに合わせたデザイン（模様＆色調）を有しているのが好ましい。この構成により、ゴムバンド１３のデザインが草履のデザインから浮き上がってしまうことなく、デザインの統一性が保たれた草履を提供できる。
【００１８】
固定具１４は、針長が長い鋲を使用し、ゴムバンド１３の幅中央を刺してさらに草履本体１１の側面部１１ａに刺し込んでゴムバンド１３を草履本体１１の側面部１１ａに固定されていることが好ましい。この構成により、草履には細工をすることなく、固定具１４を草履本体１１の側面部１１ａに必要十分な取り付け強度を有するように容易に設けることができ、ゴムバンドは草履本体を締め付けた状態に一巻きする長さを決定し、該ゴムバンドの２箇所を草履本体の両側の側面部に固定することを容易になしうる。固定具１４は、針部分にねじを備えていても良い。さらに、両側の固定具１４が、相互に連結構造であっても良い。
【００１９】
さらに、本考案は上述した実施の形態のみに限定されるものではなく、既に述べた本考案の要旨を逸脱しない範囲において種々の変更が可能であることは勿論である。
【図面の簡単な説明】
【００２０】
【図１】本考案の実施形態にかかる草履を説明するための側面図である。
【図２】図１の草履の晴天時使用状態を示す斜視図である。
【図３】図１の草履の雨天時使用状態を示す斜視図である。
【図４】図１の草履の側面図である。
【符号の説明】
【００２１】
１０  草履
１１  草履本体
１１ａ  側面部
１２  鼻緒
１２ａ  前坪
１３  ゴムバンド
１３ａ  前側半ループ部分
１３ｂ  後側半ループ部分
１４  固定具
１５  足先カバー
Ｆ  足
【図１】
0003137028.tif 000003
【図２】
0003137028.tif 000004
【図３】
0003137028.tif 000005
【図４】
0003137028.tif 000006